(57)【要約】【課題】公園、学校、幼稚園等の砂場、河川敷、海岸などの近くに設置された足洗い場において、排水管詰りを生じさせることなく、排水トラップに溜まった砂利を容易かつ簡便に廃棄することができ、簡単な構造で取扱性に優れた足洗い場用排水トラップの提供。【解決手段】排水口に設けられ、排水管に接続されて使用され、前記排水管の開口部に接続された外側容器と、前記外側容器に収容され、底面と、該底面に対して立設した、外周壁と該外周壁よりも高さの低い内周壁とを有してなり、前記内周壁の内側が前記排水管に排水可能である内側容器と、前記外側容器の開口部を覆うように配置され、前記内側容器に向けて排水可能な開口部が形成された蓋体と、を有してなる足洗い場用排水トラップである。【選択図】図１
0003148928.tif 000002
【実用新案登録請求の範囲】
【請求項１】
足洗い場の排水口に設けられ、排水管に接続される足洗い場用排水トラップであって、
前記排水管の開口部に接続された外側容器と、
前記外側容器に収容され、底面と、該底面に対して立設した、外周壁と該外周壁よりも高さの低い内周壁とを有してなり、前記内周壁の内側が前記排水管に排水可能である内側容器と、
前記外側容器の開口部を覆うように配置され、前記内側容器に向けて排水可能な開口部が形成された蓋体と、
を有してなることを特徴とする足洗い場用排水トラップ。
【請求項２】
蓋体が、
前記開口部から流入した排水が、前記内側容器における前記内周壁の内側に直接流入しないようにし、かつ前記内側容器における前記外周壁側に直接流入するようにする、導液部材を有してなる請求項１に記載の足洗い場用排水トラップ。
【請求項３】
蓋体が、
前記外側容器の開口部を覆うようにして該開口部に配置された際、
前記導液部材の先端部が、前記内側容器における、前記外周壁及び前記内周壁よりも低く位置している請求項２に記載の足洗い場用排水トラップ。
【請求項４】
内側容器が、運搬用取っ手を前記外周壁に回動可能に有してなる請求項１から３のいずれかに記載の足洗い場用排水トラップ。
【請求項５】
内側容器における前記内周壁が、該内周壁の高さを延長可能でありかつ該内周壁に着脱可能な、内周壁延長部材を備えた請求項１から４のいずれかに記載の足洗い場用排水トラップ。
【請求項６】
排水が砂利を含む請求項１から５のいずれかに記載の足洗い場用排水トラップ。
【考案の詳細な説明】
【技術分野】
【０００１】
本考案は、公園、学校、幼稚園等の砂場；農業、園芸、造園等の仕事場；家庭菜園、河川敷、海岸などの近くに設置される足洗い場用排水トラップに関する。
【背景技術】
【０００２】
各種の排水トラップが従来より提案されてきているが、従来の排水トラップにおいては、臭気が漏れるのを防止することが最重要解決課題とされてきており、この観点から、排水管の排水口を水封可能な構造に設計されてきている。例えば、トラップ本体の底壁より立ち上がった接続口にＵ字型の管を接続し、該トラップ本体の開口部に目皿を載置し、排水が目皿を通り、前記Ｕ字型の管に入り、前記排水管へ流れ、前記トラップ本体に溜まった水によって前記排水管の臭気が漏れるのを防止している（例えば、特許文献１の実用新案登録請求の範囲、明細書第２頁、第１図など参照）。
しかし、これらの排水トラップでは、排水中に固形物が含まれる場合、頻繁に該固形物の除去を行わなければならず、その際に排水トラップの取外し等が必要になり、煩雑で取扱性に劣るという問題があった。特に、公園、学校、幼稚園等の砂場；農業、園芸、造園等の仕事場；家庭菜園、河川敷、海岸などの近くに設置された足洗い場においては、子供が砂利で汚れた足を洗うと、排水トラップに砂利が溜まり、排水管詰りが生じたり、それを防ぐためには該排水トラップを頻繁に取り外して、該排水トラップ内に堆積した砂利等を捨てなければならず煩雑であった。
そこで、公園、学校、幼稚園等の砂場；農業、園芸、造園等の仕事場；家庭菜園、河川敷、海岸などの近くに設置された足洗い場において、排水管詰りを生じさせることなく、排水トラップに溜まった砂利を容易かつ簡便に廃棄することができ、簡単な構造で取扱性に優れた足洗い場用排水トラップの提供が望まれている。
【０００３】
【特許文献１】実開平３−１１９０７６号公報
【考案の開示】
【考案が解決しようとする課題】
【０００４】
本考案は、前記従来における諸問題を解決し、以下の目的を達成することを課題とする。即ち、本考案は、公園、学校、幼稚園等の砂場；農業、園芸、造園等の仕事場；家庭菜園、河川敷、海岸などの近くに設置された足洗い場において、排水管詰りを生じさせることなく、排水トラップに溜まった砂利を容易かつ簡便に廃棄することができ、簡単な構造で取扱性に優れた足洗い場用排水トラップを提供することを目的とする。
【課題を解決するための手段】
【０００５】
前記課題を解決するための手段としては、以下の通りである。即ち、
＜１＞  足洗い場の排水口に設けられ、排水管に接続される足洗い場用排水トラップであって、
前記排水管の開口部に接続された外側容器と、
前記外側容器に収容され、底面と、該底面に対して立設した、外周壁と該外周壁よりも高さの低い内周壁とを有してなり、前記内周壁の内側が前記排水管に排水可能である内側容器と、
前記外側容器の開口部を覆うように配置され、前記内側容器に向けて排水可能な開口部が形成された蓋体と、
を有してなることを特徴とする足洗い場用排水トラップである。
この足洗い場用排水トラップは、足洗い場に設置された排水口に設けられ、排水管に接続される。砂等が付着し汚れた足を洗った排水は、該排水口に到達すると、前記蓋体における開口部から前記排水トラップの内部に流入する。流入した排水は、前記内側容器内に流入する。このとき、前記排水中に含まれる砂利は、該内側容器における前記底面に堆積する。該内側容器内に流入した前記排水は、該内側容器内にトラップされるが、一定容量まで増量すると、該内側容器における前記内周壁の上部開口から流出し、前記排水管に向けて排水される。このため、前記排水管に、前記排水中に含まれる砂利が流出することがなく、該排水管の目詰まり等が防止される。前記内側容器における前記底面に堆積した砂利は、前記蓋体を前記外側容器から外して、該内側容器を取り出せば、容易に廃棄処分される。
＜２＞  蓋体が、
前記開口部から流入した排水が、前記内側容器における前記内周壁の内側に直接流入しないようにし、かつ前記内側容器における前記外周壁側に直接流入するようにする、導液部材を有してなる前記＜１＞に記載の足洗い場用排水トラップである。
該足洗い場用排水トラップにおいては、前記蓋体が該導液部材を有してなるので、前記蓋体から前記内側容器内に前記排水が流入する際、該内側容器における前記内周壁の上部開口に直接、該排水が流入されるのが防止され、該内側容器における前記外周壁側に向けて該排水が流入され、該内側容器内にトラップされる。このため、前記排水中に含まれる砂利による前記排水管の目詰まり等が効果的に防止される。
＜３＞  蓋体が、
前記外側容器の開口部を覆うようにして該開口部に配置された際、
前記導液部材の先端部が、前記内側容器における、前記外周壁及び前記内周壁よりも低く位置している前記＜２＞に記載の足洗い場用排水トラップである。
該足洗い場用排水トラップにおいては、前記導液部材の先端部が、前記内側容器における、前記外周壁及び前記内周壁よりも低く位置しているので、前記排水中に含まれる砂利が前記内側容器における前記底面に堆積していくと、前記導液部材の先端部に当接する。すると、前記内側容器内に流入した前記排水は、前記内周壁の上部開口から流出し難くなり、前記蓋体側に逆流する。このとき、前記蓋体を前記外側容器から外して、前記内側容器を取り出し、該内側容器の前記底面に堆積した、前記排水中に含まれる砂利を廃棄して、また前記外側容器内に該内側容器を収容させるだけで、前記排水が前記排水管に向けて円滑に排水にされる。
＜４＞  内側容器が、運搬用取っ手を前記外周壁に回動可能に有してなる前記＜１＞から＜３＞のいずれかに記載の足洗い場用排水トラップである。
該足洗い場用排水トラップにおいては、前記内側容器に運搬用取っ手が設けられているので、前記内側容器を前記外側容器から取り出す際に、該運搬用取っ手を持って行うことができ、容易かつ簡便に操作でき、該内側容器の前記底面に堆積した砂利の廃棄も容易にかつ簡便に行われる。
＜５＞  内側容器における前記内周壁が、該内周壁の高さを延長可能でありかつ該内周壁に着脱可能な、内周壁延長部材を備えた前記＜１＞から＜４＞のいずれかに記載の足洗い場用排水トラップである。
該足洗い場用排水トラップにおいては、前記内側容器を前記外側容器から取り出して、該内側容器内に堆積した砂利を廃棄する際に、前記内周壁延長部材を前記内周壁から脱離させると、該内側容器内にトラップされた前記排水が前記排水管に向けて流出される。このため、該内側容器を取り出す際の該内側容器の重量が軽減され、取出し操作が容易である。
＜６＞  排水が砂利を含む前記＜１＞から＜５＞のいずれかに記載の足洗い場用排水トラップである。
該足洗い場用排水トラップは、砂利を多く含む排水が対象なので、前記排水管が砂利で目詰まりしやすいところが、目詰まり等を生ずることなく、排水処理が可能となる。
【０００６】
＜７＞  排液口に設けられ、排液管に接続される排液トラップであって、
前記排液管の開口部に接続された外側容器と、
前記外側容器に収容され、底面と、該底面に対して立設した、外周壁と該外周壁よりも高さの低い内周壁とを有してなり、前記内周壁の内側が前記排液管に排液可能である内側容器と、
前記外側容器の開口部を覆うように配置され、前記内側容器に向けて排液可能な開口部が形成された蓋体と、
を有してなることを特徴とする排液トラップである。
この排液トラップは、排液口に設けられ、排液管に接続される。雨水等の排液は、該排液口に到達すると、前記蓋体における開口部から前記排水トラップの内部に流入する。流入した排液は、前記内側容器内に流入する。このとき、前記排液中に含まれる固形物は、該内側容器における前記底面に堆積する。該内側容器内に流入した前記排液は、該内側容器内にトラップされるが、一定容量まで増量すると、該内側容器における前記内周壁の上部開口から流出し、前記排液管に向けて排液される。このため、前記排液管に、前記排液中に含まれる固形物が流出することがなく、該排液管の目詰まり等が防止される。前記内側容器における前記底面に堆積した固形物は、前記蓋体を前記外側容器から外して、該内側容器を取り出せば、容易に廃棄処分される。
＜８＞  蓋体が、
前記開口部から流入した排液が、前記内側容器における前記内周壁の内側に直接流入しないようにし、かつ前記内側容器における前記外周壁側に直接流入するようにする、導液部材を有してなる前記＜７＞に記載の排液トラップである。
該排液トラップにおいては、前記蓋体が該導液部材を有してなるので、前記蓋体から前記内側容器内に前記排液が流入する際、該内側容器における前記内周壁の上部開口に直接、該排液が流入されるのが防止され、該内側容器における前記外周壁側に向けて該排液が流入され、該内側容器内にトラップされる。このため、前記排液中に含まれる固形物による前記排液管の目詰まり等が効果的に防止される。
＜９＞  蓋体が、
前記外側容器の開口部を覆うようにして該開口部に配置された際、
前記導液部材の先端部が、前記内側容器における、前記外周壁及び前記内周壁よりも低く位置している前記＜８＞に記載の排液トラップである。
該排液トラップにおいては、前記導液部材の先端部が、前記内側容器における、前記外周壁及び前記内周壁よりも低く位置しているので、前記排液中に含まれる固形物が前記内側容器における前記底面に堆積していくと、前記導液部材の先端部に当接する。すると、前記内側容器内に流入した前記排液は、前記内周壁の上部開口から流出し難くなり、前記蓋体側に逆流する。このとき、前記蓋体を前記外側容器から外して、前記内側容器を取り出し、該内側容器の前記底面に堆積した、前記排液中に含まれる固形物を廃棄して、また前記外側容器内に該内側容器を収容させるだけで、前記排液が前記排液管に向けて円滑に排液にされる。
＜１０＞  内側容器が、運搬用取っ手を前記外周壁に回動可能に有してなる前記＜７＞から＜９＞のいずれかに記載の排液トラップである。
該排液トラップにおいては、前記内側容器が運搬用取っ手が設けられているので、前記内側容器を前記外側容器から取り出す際に、該運搬用取っ手を持って行うことができ、容易かつ簡便に操作でき、該内側容器の前記底面に堆積した固形物の廃棄も容易にかつ簡便に行われる。
＜１１＞  内側容器における前記内周壁が、該内周壁の高さを延長可能でありかつ該内周壁に着脱可能な、内周壁延長部材を備えた前記＜７＞から＜１０＞のいずれかに記載の排液トラップである。
該排液トラップにおいては、前記内側容器を前記外側容器から取り出して、該内側容器内に堆積した固形物を廃棄する際に、前記内周壁延長部材を前記内周壁から脱離させると、該内側容器内にトラップされた前記排液が前記排液管に向けて流出される。このため、該内側容器を取り出す際の該内側容器の重量が軽減され、取出し操作が容易である。
＜１２＞  足洗い場に設置され、排液が砂利を含む排水である前記＜７＞から＜１１＞のいずれかに記載の排液トラップである。
該排液トラップは、足洗い場用排水トラップであり、砂利を多く含む排水が対象なので、前記排液管（排水管）が砂利で目詰まりしやすいところが、目詰まり等を生ずることなく、排水処理が可能となる。
【考案の効果】
【０００７】
本考案によれば、従来における前記諸問題を解決し、前記目的を達成することができ、公園、学校、幼稚園等の砂場；農業、園芸、造園等の仕事場；家庭菜園、河川敷、海岸などの近くに設置された足洗い場において、排水管詰りを生じさせることなく、排水トラップに溜まった砂利を容易かつ簡便に廃棄することができ、簡単な構造で取扱性に優れた足洗い場用排水トラップを提供することができる。
【考案を実施するための最良の形態】
【０００８】
本考案の足洗い場用排水トラップは、公園、学校、幼稚園等の砂場；農業、園芸、造園等の仕事場；家庭菜園、河川敷、海岸などの近くに設置された足洗い場の排水口に好適に設けられ、排水管に接続されて使用される。このため、該足洗い場用排水トラップに流入する排水は、一般の排水に比べて、砂利等を多く含んでおり、前記排水管に目詰まりが生じ易い。
【０００９】
本考案の足洗い場用排水トラップは、外側容器と、内側容器と、蓋体とを有してなり、更に必要に応じて適宜選択したその他の部材を有してなる。
【００１０】
−外側容器−
前記外側容器は、公園、学校、幼稚園等の砂場；農業、園芸、造園等の仕事場；家庭菜園、河川敷、海岸などの近くに設置された足洗い場の排水口の下部に埋設され、地面に埋設された排水管の開口部に、前記排水口から流入する排水を流入可能に接続される。該外側容器は、足洗い場用排水トラップ本体として機能する。
前記外側容器の大きさ、形状、構造、材質等については、特に制限はなく、目的に応じて適宜選択することができる。前記材質の例としては、ステンレススチール、アルミニウム、鉄等の金属、ＡＢＳ、ＦＲＰ等の樹脂などが挙げられる。前記外側容器の形状、大きさ等についても、特に制限はなく、目的に応じて適宜選択することができ、通常用いられる程度の形状及び大きさが好ましい。
【００１１】
前記外側容器は、前記内側容器を収容可能な収容室を有している。該収容室の下方に、前記排水管と接続される排水管接続部を有している。前記外側容器が埋設される設置面における該外側容器の開口部には、前記蓋体を支持する蓋体支持部を有している。
排水管接続部と排水管との接続は、特に制限はなく、目的に応じて適宜選択することができ、例えばネジ止め、接着剤による接着、クリップによる固着などが挙げられる。
【００１２】
−内側容器−
前記内側容器は、前記外側容器に収容されて使用される。該内側容器内に排水中の砂利等が堆積したら、該内側容器を前記外側容器から取り出して、該内側容器内に堆積した砂利等を廃棄し、該内側容器を前記外側容器に収容させる。これにより、前記外側容器に接続された前記排水口に、前記排水中に含まれる砂利等が直接流入することがなく、該排水口が目詰まり等を生ずることがない。
前記内側容器の大きさ、形状、構造、材質等については、特に制限はなく、前記外側容器の大きさ、形状、構造等に応じて適宜選択することができる。前記材質の例としては、ステンレススチール、アルミニウム、鉄等の金属、ＡＢＳ、ＦＲＰ等の樹脂などが挙げられる。前記内側容器の形状、大きさ等についても、特に制限はなく、目的に応じて適宜選択することができ、通常用いられる程度の形状及び大きさが好ましい。
【００１３】
前記内側容器は、底面と、該底面に対して立設した、外周壁と該外周壁よりも高さの低い内周壁とを有してなり、前記内周壁の内側は前記排水管に排水可能な管として機能する。換言すれば、前記内側容器は、一端が開口し、他端が有底の容器であって、その底部に管が貫通してなる構造を有する。そして、該管が前記内周壁に相当し、該容器の外周壁が前記外周壁に相当する。
なお、前記内側容器の内部に前記排水が流入し、溜まり、その水位が上昇して前記内周壁の高さまで到達すると、溜まった排水は、前記内周壁の端部からその内部に落下し、前記排水管に向かって流出する。このため、前記内周壁の内側は、前記排水管に前記排水を導水する管として機能する。そして、このとき、前記内周壁は前記外周壁よりも高さが低いので、前記排水が、前記外周壁の端部からその外部に落下することはない。
【００１４】
前記内側容器における、前記底面の形状、及び前記外周壁の前記底面に水平な断面形状としては、特に制限はなく、目的に応じて適宜選択することができ、例えば、真円形、楕円形などの円形、三角形、四角形、五角形、六角形などの多角形、あるいは不定形などが挙げられるが、（真）円形、四角形などが好ましい。
前記内側容器における、前記内周壁の前記底面に水平な断面形状としては、特に制限はなく、目的に応じて適宜選択することができるが、例えば、真円形、楕円形などの円形、三角形、四角形、五角形、六角形などの多角形、あるいは不定形などが挙げられるが、（真）円形、四角形などが好ましく、前記外周壁の断面形状と、同一形状であってもよいし、異形状であってもよい。
また、前記内側容器における、前記内周壁と前記外周壁との位置としては、同心位置であってもよいし、偏心位置であってもよいが、一般に、同心位置である方が該内側容器内に堆積した砂利等の廃棄処分の操作等が容易である。
【００１５】
前記内側容器は、運搬用取っ手を前記外周壁に回動可能に有していてもよい。この場合、該内側容器の前記外側容器からの取出し、収容、堆積した砂利等の廃棄などの操作の際、該運搬用取っ手を持って行うことができるので便利である。
【００１６】
前記内側容器における前記内周壁は、該内周壁の高さを延長可能でありかつ該内周壁に着脱可能な、内周壁延長部材を備えていてもよい。この場合、該内側容器内に堆積した砂利等を廃棄処分する際に、該内側容器内に排水も溜まっていると、該内側容器が重く、取り出すのが大変である。しかし、該内側容器が前記内習壁延長部材を備えていれば、該内習壁延長部材を取り外すことにより、容易に前記内側容器内に溜まった前記排水が該内側容器外に排出される。その結果、該内側容器の重さが軽くなり、前記外側容器からの取出し、収容等の操作が容易となる点で便利である。
前記内周壁延長部材は、その大きさ、形状、構造、材質等については、内周壁に着脱可能であれば特に制限はなく、目的に応じて適宜選定することができる。
【００１７】
−蓋体−
前記蓋体は、前記外側容器の開口部を覆うように配置され、前記内側容器に向けて排水可能な開口部が形成されている。
前記蓋体は、前記開口部が形成されていればよく、その大きさ、形状、構造、材質等については、特に制限はなく、前記外側容器における開口部の大きさ等に応じて適宜選択することができる。前記材質の例としては、ステンレススチール、アルミニウム、鉄等の金属、ＡＢＳ、ＦＲＰ等の樹脂などが挙げられる。また、前記開口部の形状、大きさ等についても、特に制限はなく、目的に応じて適宜選択することができ、子供の足が入り込まない程度の大きさが好ましい。
【００１８】
−導液部材−
前記導液部材は、前記蓋体における前記開口部から流入した排水が、前記内側容器における前記内周壁の内側に直接流入しないようにし、かつ前記内側容器における前記外周壁側に直接流入するようにする機能を有する。
前記導液部材は、上記機能を有していればよく、その大きさ、形状、構造、材質等については、特に制限はなく、前記内側容器における内周壁の内側の大きさ等に応じて適宜選択することができる。前記材質の例としては、ステンレススチール、アルミニウム、鉄等の金属、ＡＢＳ、ＦＲＰ等の樹脂などが挙げられる。
前記導液部材の形状としては、特に制限はなく、目的に応じて適宜選択することができるが、例えば、下方が開口した略円筒形状、下方が開口した椀形状などが挙げられる。
【００１９】
前記導液部材は、前記蓋体が、前記外側容器の開口部を覆うようにして該開口部に配置された際、該導液部材の先端部が、前記内側容器における、前記外周壁及び前記内周壁よりも低く位置しているのが好ましい。この場合、前記排水中に含まれる砂利が前記内側容器における前記底面に堆積していくと、前記導液部材の先端部に当接する。すると、前記内側容器内に流入した前記排水は、前記内周壁の上部開口から流出し難くなり、前記蓋体側に逆流してしまう。しかし、前記蓋体を前記外側容器から外して、前記内側容器を取り出し、該内側容器の前記底面に堆積した、前記排水中に含まれる砂利を廃棄して、また前記外側容器内に該内側容器を収容させるだけで、前記排水が前記排水管に向けて円滑に排水にされる点で便利である。
【００２０】
−その他の部材−
前記その他の部材としては、特に制限はなく、目的に応じて適宜選択することができ、例えば内側容器内から砂利をかき出すための掃除具、排水管内に異物の混入を防止するためのフィルターなどが挙げられる。
【００２１】
本考案の足洗い場用排水トラップは、排水管詰りを生じさせることなく、排水トラップに溜まった砂利を容易かつ簡便に廃棄することができるので、土砂の付いた人の手足、農具、工具等の洗い場、例えば公園、学校、幼稚園等の砂場；農業、園芸、造園等の仕事場；家庭菜園、河川敷、海岸などの近くに設置された足洗い場などに好適に用いられる。
【実施例】
【００２２】
以下、本考案の実施例につき図面を用いて具体的に説明するが、本考案はこの実施例に何ら限定されるものではない。
【００２３】
（第１実施例）
本考案の足洗い場用排水トラップの第１実施例について説明する。
図１は、第１実施例の足洗い場用排水トラップの概略断面図、図２は、第１実施例の足洗い場用排水トラップの正面図、図３は、第１実施例の足洗い場用排水トラップの側面図、図４は、第１実施例の足洗い場用排水トラップを上から見た平面図をそれぞれ表す。
この第１実施例の足洗い場用排水トラップ１は、足洗い場用排水トラップの本体である外側容器１０と、該外側容器に収容される内側容器２０と、外側容器の開口部を覆う蓋体３０とを有している。
【００２４】
外側容器１０は、ステンレススチール製の略円筒形状であり、地面に埋設された排水管５０の開口部に接続されている。
外側容器１０は、内側容器２０を収容可能な収容室１１を有している。
収容室１１の下方には、内側容器２０の底面２０ａの外周縁部と係止して内側容器を保持するリング状の内側容器係止部１０ａが内方に突設されている。
収容室１１の底面１０ａには、排水管５０と接続される排水管接続部１０ｃを有しており、一部が排水管接続部１０ｃの形状に合わせて膨出部１０ｂを形成している。
外側容器１０の開口部には、蓋体３０を支持するリング状の蓋体支持部１０ｄを有しており、蓋体３０の外周縁部と係合可能である。
外側容器１０の外周縁部には、リング状のフランジ部１０ｅが設けられており、これにより。足洗い場用排水トラップ１を砂場、河川敷、海岸などの足洗い場面に安定に配置することができる。
【００２５】
内側容器２０は、ステンレススチール製であり、底面２０ａと、該底面に対して立設した、外周壁２０ｂと該外周壁よりも高さの低い内周壁２０ｃとを有してなる。
前記内周壁の内側２５は、外側容器の収容室１１内に収容されると前記排水管５０に排水可能な管として機能する。
内周壁２０ｃの高さは、内周壁と外周壁との間に溜まった排水を内周壁の内側２５から排水管５０に流出できるように、外周壁２０ｂよりも低く形成されている。
【００２６】
蓋体３０は、円盤状のステンレススチール製であり、外側容器１０の開口部を覆うように取り外し可能に配置され、内側容器２０に向けて排水可能な開口部３０ａが形成されている。
この第１実施例では、開口部３０ａは図４に示すように、円盤状の蓋体の中心に１つの円形の開口部３２と、円盤状の蓋体を４等分した直径の終点付近に４つの円形の開口部３１と、円盤状の蓋体の二等分線を境にして長さの異なる複数のスリット状の開口部３３とを有しており、砂利を含む排水が内側容器内に円滑に流入できるように構成されている。
【００２７】
導液部材４０は、ステンレススチール製であり、蓋体３０の裏面に取り付けられており、蓋体３０における開口部３０ａから流入した排水が、内側容器２０における内周壁２０ｃの内側２５に直接流入しないようにし、かつ内側容器２０における外周壁側に直接流入するようにする機能を有する。
導液部材４０における蓋体と接する部分及びその周辺部は、蓋体の開口部３０ａを塞いで内側容器内に排水が流入するのを妨げないように、一定角度の傾斜面４０ａとなっている。
この第１実施例では、導液部材４０は、図１に示すように下方が開口した略円筒状であり、蓋体の開口部から流入した砂利を含む排水が、導液部材４０の表面を伝わってスムーズに内側容器における外周壁側に流入するように構成されている。
導液部材４０は、蓋体３０が、外側容器１０の開口部を覆うようにして開口部に配置された際、導液部材４０の先端部が、内側容器２０における、外周壁２０ｂ及び内周壁２０ｃよりも低く位置している。これにより、排水中に含まれる砂利が内側容器における底面に堆積していき、導液部材の先端部に当接すると排水が蓋体側に逆流して、排水管に砂利を含む排水が流出することが防止できる。この際、蓋体を外側容器から外して、内側容器を取り出し、内側容器の底面に堆積した砂利を廃棄して、また外側容器内に内側容器を収容させるだけで、排水が排水管に向けて円滑に排水にされる。
【００２８】
ここで、本考案の第１実施例の足洗い場用排水トラップを用いて砂等が付着した足を洗う場合の例について説明する。
図１に示すように、砂等が付着し汚れた足を洗った排水は、該排水口に到達すると、蓋体３０における開口部３０ａから排水トラップの内部に流入する。流入した排水は、図１中矢印で示したように流れて内側容器２０内に流入する。このとき、排水中に含まれる砂利は、内側容器２０における底面２０ａに堆積する。内側容器２０内に流入した排水は、内側容器内にトラップされるが、一定容量まで増量すると、図１中矢印で示したように流れて内側容器における内周壁２０ｃの上部開口から流出し、排水管５０に向けて排水される。このため、排水管に、排水中に含まれる砂利が流出することがなく、該排水管の目詰まり等が防止される。
そして、内側容器２０における底面２０ａに堆積した砂利は、図５に示すように、蓋体３０を導液部材４０と共に外側容器１０から外して、図６に示すように、内側容器２０を取り出し、該内側容器２０を傾けることにより、砂利を容易に廃棄処分できる。
【００２９】
（第２実施例）
本考案の足洗い場用排水トラップの第２実施例について説明する。
図７は、第２実施例の足洗い場用排水トラップの概略断面図、図８は、第２実施例の足洗い場用排水トラップの側面図、図９は、第２実施例の足洗い場用排水トラップを上から見た平面図をそれぞれ表す。
この第２実施例の足洗い場用排水トラップ１は、前記第１実施例と同様に、足洗い場用排水トラップの本体である外側容器１０と、該外側容器に収容される内側容器２０と、外側容器の開口部を覆う蓋体３０とを有している。
この第２実施例においては、外側容器、及び内側容器については、第１実施例と同様の構成であるため、同じ参照符号を付してその説明を省略する。
【００３０】
蓋体３０は、図９に示すように、四角板状のステンレススチール製であり、開口部３０ａは、四角板状の蓋体の二等分線を境にして長さの異なる複数のスリット状開口部が配列したものであり、砂利を含む排水が内側容器内に円滑に流入できるように構成されている。
【００３１】
導液部材４０は、図７及び図８に示すように、下方が開口した椀状であり、蓋体３０の開口部３０ａから流入した砂利を含む排水が、椀状の導液部材４０表面を伝わってスムーズに内側容器における外周壁側に流入するように構成されている。
【００３２】
前記内側容器２０における前記内周壁２０ｃは、図１１に示すように、該内周壁の高さを延長可能でありかつ該内周壁に着脱可能な、内周壁延長部材２７を備えている。該内習壁延長部材２７を取り外すことにより、容易に内側容器内に溜まった排水が内側容器外に排出される。その結果、内側容器の重さが軽くなり、外側容器からの取出し、収容等の操作が容易となる点で便利である。
内周壁延長部材２７は、円筒又は円柱状であり、その周囲にゴムパッキン２７ａが取り付けられており、１回転ネジ込み式となっているので、容易に取り外して、内側容器内に溜まった余分な排水を抜くことができる。
【００３３】
前記内側容器２０は、図１２に示すように、運搬用取っ手２２を内側容器２０における外周壁２０ｂに有している。これにより、内側容器の外側容器からの取出し、収容、堆積した砂利等の廃棄などの操作の際、該運搬用取っ手２２を持って行うことができるので便利である。運搬用取っ手２２は外周壁２０ｂに回動可能に有しており、不使用時には倒して邪魔にならないようにすることができ、使用時には取っ手を回動させて立てることにより取っ手２２を持ちやすくすることができる。
【００３４】
第２実施例の足洗い場用排水トラップ１は、図１４に示すように、足洗い場床面１００に、ゴムパッキン１０１を介して本体固定フランジ３１と、外側容器１０の蓋体支持部１０ｄ及び固定部１０ｅとをネジ止めすることで確実に固定することができる。
【００３５】
ここで、本考案の第２実施例の足洗い場用排水トラップを用いて砂等が付着した足を洗う場合の例について説明する。
図７に示すように、砂等が付着し汚れた足を洗った排水は、該排水口に到達すると、蓋体３０における開口部３０ａから排水トラップの内部に流入する。流入した排水は、図７中矢印で示したように流れて内側容器２０内に流入する。このとき、排水中に含まれる砂利は、該内側容器２０における底面２０ａに堆積する。該内側容器２０内に流入した前記排水は、該内側容器内にトラップされるが、一定容量まで増量すると、図７中矢印で示したように流れて該内側容器における前記内周壁２０ｃの上部開口から流出し、前記排水管５０に向けて排水される。このため、排水管に、排水中に含まれる砂利が流出することがなく、排水管の目詰まり等が防止される。
そして、内側容器２０における底面２０ａに堆積した砂利は、図１０に示すように、蓋体３０を導液部材４０と共に外側容器１０から外して、図１１に示すように、内周壁延長部材２７を外して、内側容器内に溜まった排水を排出する。次いで、図１２に示すように、外側容器に設けられた運搬用取っ手２２を回動させて持ちやすいように立てる。次に、運搬用取っ手２２を持って内側容器２０を取り出し、図１３に示すように、内側容器２０を傾けて、砂利を容易に廃棄処分できる。
【００３６】
以上、本考案の足洗い場用排水トラップについて詳細に説明したが、本考案は上記実施例に限定されず、本考案の要旨を逸脱しない範囲で種々変更しても差支えない。例えば第１実施例において外側容器に運搬用取っ手を設けてもよく、第１実施例において内側容器における内周壁に内周壁延長部材を設けてよく、また、第１実施例の蓋体として第２実施例の四角板状の蓋体を使用してもよく、第２実施例の蓋体として第１実施例の円盤状の蓋体を使用しても構わない。
【産業上の利用可能性】
【００３７】
本考案の足洗い場用排水トラップは、排水管詰りを生じさせることなく、排水トラップに溜まった砂利を容易かつ簡便に廃棄することができるので、土砂の付いた人の手足、農具、工具等の洗い場、例えば公園、学校、幼稚園等の砂場；農業、園芸、造園等の仕事場；家庭菜園、河川敷、海岸などの近くに設置された足洗い場などに好適に利用することができる。
【図面の簡単な説明】
【００３８】
【図１】図１は、第１実施例の足洗い場用排水トラップの概略断面図である。
【図２】図２は、第１実施例の足洗い場用排水とラップの正面図である。
【図３】図３は、第１実施例の足洗い場用排水トラップの側面図である。
【図４】図４は、第１実施例の足洗い場用排水トラップを上から見た平面図である。
【図５】図５は、第１実施例の足洗い場用排水トラップから蓋体及び導液部材を取り外した状態を示す図である。
【図６】図６は、第１実施例の足洗い場用排水トラップから内側容器を取り出して内部の砂利を廃棄する状態を示す図である。
【図７】図７は、第２実施例の足洗い場用排水トラップの概略断面図である。
【図８】図８は、第２実施例の足洗い場用排水トラップの側面図である。
【図９】図９は、第２実施例の足洗い場用排水トラップを上から見た平面図である。
【図１０】図１０は、第２実施例の足洗い場用排水トラップから蓋体及び導液部材を取り外した状態を示す図である。
【図１１】図１１は、第２実施例の足洗い場用排水トラップから内周壁延長部材を取り外した状態を示す図である。
【図１２】図１２は、第２実施例の足洗い場用排水トラップから運搬用取っ手を持って内側容器を取り出す様子を示す図である。
【図１３】図１３は、内側容器内から砂利を廃棄する状態を示す図である。
【図１４】図１４は、第２実施例の足洗い場用排水トラップの足洗い場での固定方法を示す図である。
【符号の説明】
【００３９】
１      足洗い場用排水トラップ
１０      外側容器
１０ａ      内側容器係止部
１０ｂ      膨出部
１０ｃ      排水管接続部
１０ｄ      蓋体支持部
１０ｅ      フランジ部
１０ｆ      固定部
１１      収容室
２０      内側容器
２０ａ      底面
２０ｂ      外周面
２０ｃ      内周壁
２２      運搬用取っ手
２７      内周壁延長部材
２７ａ      ゴムパッキン
３０      蓋体
３０ａ      開口部
３１      本体固定フランジ
４０      導液部材
４０ａ      傾斜面
５０      排水管
１００      足洗い場床面
【図１】
0003148928.tif 000003
【図２】
0003148928.tif 000004
【図３】
0003148928.tif 000005
【図４】
0003148928.tif 000006
【図５】
0003148928.tif 000007
【図６】
0003148928.tif 000008
【図７】
0003148928.tif 000009
【図８】
0003148928.tif 000010
【図９】
0003148928.tif 000011
【図１０】
0003148928.tif 000012
【図１１】
0003148928.tif 000013
【図１２】
0003148928.tif 000014
【図１３】
0003148928.tif 000015
【図１４】
0003148928.tif 000016